(57)【要約】【課題】回路規模の削減を達成したデュアルモード携帯端末装置の提供。【解決手段】ＤＡＣ２０及び１１から出力される第１及び第２のアナログ信号に対してＷＣＤＭＡ通信システム用の変調及びＧＳＭ通信システム用の変調を行う変調部１９及び１０と、変調部１９及び１０で変調されたＲＦ信号を受けるアンプ１８及び３５と、アンプ１８の出力ＲＦ信号を入力とするフィルタ１５の出力ＲＦ信号を受けるパワーアンプ１４と、アンプ３５の出力ＲＦ信号を受けるパワーアンプモジュール２９と、パワーアンプ１４の出力から第１の検波信号を検波しパワーアンプモジュール２９の出力から第２の検波信号を検波するＡＰＣ検波回路２５と、第１及び第２の検波信号をＡＤ変換しデジタル処理部３１に出力するＡＤＣ２２とを有し、デジタル処理部３１の制御部ＣＰＵは、第１及び第２の検波信号が一定値になるようにアンプ１８及び３５のゲインを第１及び第２の送信ＡＧＣ信号によって制御する。【選択図】図３
2010109908.tif 000002
【特許請求の範囲】
【請求項１】
第１及び第２のデジタルベースバンド信号を出力するＤＢＢ部と制御部とを有するデジタル処理部と、第１及び第２のデジタルベースバンド信号を第１及び第２のアナログ信号にそれぞれ変換する第１及び第２のＤＡコンバータと、第１及び第２のアナログ信号に対してＷＣＤＭＡ通信システム用の変調及びＧＳＭ通信システム用の変調を行い、第１及び第２の変調されたＲＦ信号をそれぞれ出力する第１及び第２の変調部と、第１及び第２の変調されたＲＦ信号をそれぞれ受ける第１及び第２のアンプと、第１のアンプの出力ＲＦ信号から不要信号を除去するフィルタと、フィルタの出力ＲＦ信号を受けるパワーアンプと、第２のアンプの出力ＲＦ信号を受けるパワーアンプモジュールと、パワーアンプの出力を検波し第１の検波信号を出力する機能及びパワーアンプモジュールの出力を検波し第２の検波信号を出力する機能を有するＡＰＣ検波回路と、第１の検波信号を第１のデジタル信号に変換し第２の検波信号を第２のデジタル信号に変換し第１及び第２のデジタル信号をデジタル処理部に出力するＡＤコンバータとを有する送信部を備え、デジタル処理部の制御部は、第１のデジタル信号で表された第１の検波信号が一定値になるように第１のアンプのゲインを第１の送信ＡＧＣ信号によって制御し、第２のデジタル信号で表された第２の検波信号が一定値になるように第２のアンプのゲインを第２の送信ＡＧＣ信号によって制御することを特徴とするデュアルモード携帯端末装置。
【請求項２】
パワーアンプモジュールはリニアパワーアンプを有することを特徴とする請求項１に記載のデュアルモード携帯端末装置。
【請求項３】
第１及び第２のＤＡコンバータと第１及び第２の変調部と第１及び第２のアンプとＡＤコンバータとを有するＲＦＩＣを用いたことを特徴とする請求項１又は２に記載のデュアルモード携帯端末装置。
【請求項４】
パワーアンプ及びパワーアンプモジュールとして、パワーアンプの機能とパワーアンプモジュールの機能とを備えたマルチモードパワーモジュールを用いたことを特徴とする請求項１〜３のいずれかに記載のデュアルモード携帯端末装置。
【請求項５】
第２の変調部がＧＳＭ通信システム用の変調としてＥＤＧＥ通信システム用の変調を行うことを特徴とする請求項２に記載のデュアルモード携帯端末装置。
【請求項６】
第１及び第２のアンプを制御する第１及び第２の送信ＡＧＣ信号の値は、電池電圧、温度、或いは周波数の変化による送信特性の変化を補正する補正値であり、外部環境状況に合わせて補正値が選択適用されることを特徴とする請求項２〜５のいずれかに記載のデュアルモード携帯端末装置。
【請求項７】
第１及び第２の送信ＡＧＣ信号用の補正値はデジタル処理部の制御部内のメモリに別個に格納されており、第１及び第２の送信ＡＧＣ信号用の補正値は制御部によって読み出されることを特徴とする請求項６に記載のデュアルモード携帯端末装置。
【発明の詳細な説明】
【技術分野】
【０００１】
本発明は、ＧＳＭ(Global System for Mobile Communications)通信システム及びＷＣＤＭＡ(Wideband Code Division Multiple Access)通信システムを有するデュアルモード携帯端末装置に関する。
【背景技術】
【０００２】
現在、携帯端末装置では複数の通信システム（或いは通信モード）を有するマルチモード化が進んでいる。
【０００３】
例えば、特開２００２−９４３３１号公報（特許文献１）には、図７及び段落［００７０］〜［００７１］に、ＧＳＭ通信システム及びＥＤＧＥ(Enhanced Data Rates for GSM Evolution) 通信システムを有する無線通信機が開示されている。この図７に示された無線通信機では、高周波信号処理ＩＣ２６から高周波電力増幅装置２０には、ＧＳＭ／ＥＤＧＥモード切り替え信号が送られる。
【０００４】
また、特開２００４−３０４４３５号公報（特許文献２）には、図１及び要約に、同一多層基板に、ＧＳＭ通信システム（９００ＭＨｚ帯）用の送信電力増幅器５及びＤＣＳ通信システム（１８００ＭＨｚ帯）用の送信電力増幅器６と、該増幅器５及び６により増幅された送信信号中に含まれる高調波を除去する高周波フィルタ７及び８と、送信信号レベルを検出するための方向性結合器（カプラー）１８と、該方向性結合器１８の出力を検波する検波回路１９とを有するマルチバンド無線通信モジュール１が開示されている。検波回路１９の出力は、モジュール１外において増幅器５及び６を制御する自動電力制御（ＡＰＣ）回路に与えられる。また、この特許文献２には、図５に、同一多層基板に、検波回路１９の出力により増幅器５及び６を制御する自動電力制御（ＡＰＣ）回路３５を更に有するマルチバンド無線通信モジュール１が開示されている。
【０００５】
携帯端末装置には、通話機能だけでなく、カメラ、ＧＰＳ(Global Positioning System)、地上波デジタルテレビ、フェリカなど様々なアプリケーションシステムの搭載が進んでいる。
【０００６】
【特許文献１】特開２００２−９４３３１号公報
【特許文献２】特開２００４−３０４４３５号公報
【発明の開示】
【発明が解決しようとする課題】
【０００７】
携帯端末装置のような限られたスペースで複数の通信システム及びアプリケーションを実現するためには、複数の通信システム用の回路の小面積化が必須である。
【０００８】
本発明の課題は、ＧＳＭ通信システム及びＷＣＤＭＡ(Wideband Code Division Multiple Access)通信システムを有するデュアルモード携帯端末装置の回路規模の削減を達成することにある。
【課題を解決するための手段】
【０００９】
本発明によれば、
第１及び第２のデジタルベースバンド信号を出力するＤＢＢ部と制御部とを有するデジタル処理部と、第１及び第２のデジタルベースバンド信号を第１及び第２のアナログ信号にそれぞれ変換する第１及び第２のＤＡコンバータと、第１及び第２のアナログ信号に対してＷＣＤＭＡ通信システム用の変調及びＧＳＭ通信システム用の変調を行い、第１及び第２の変調されたＲＦ信号をそれぞれ出力する第１及び第２の変調部と、第１及び第２の変調されたＲＦ信号をそれぞれ受ける第１及び第２のアンプと、第１のアンプの出力ＲＦ信号から不要信号を除去するフィルタと、フィルタの出力ＲＦ信号を受けるパワーアンプと、第２のアンプの出力ＲＦ信号を受けるパワーアンプモジュールと、パワーアンプの出力を検波し第１の検波信号を出力する機能及びパワーアンプモジュールの出力を検波し第２の検波信号を出力する機能を有するＡＰＣ検波回路と、第１の検波信号を第１のデジタル信号に変換し第２の検波信号を第２のデジタル信号に変換し第１及び第２のデジタル信号をデジタル処理部に出力するＡＤコンバータとを有する送信部を備え、デジタル処理部の制御部は、第１のデジタル信号で表された第１の検波信号が一定値になるように第１のアンプのゲインを第１の送信ＡＧＣ信号によって制御し、第２のデジタル信号で表された第２の検波信号が一定値になるように第２のアンプのゲインを第２の送信ＡＧＣ信号によって制御することを特徴とするデュアルモード携帯端末装置が得られる。
【発明の効果】
【００１０】
本発明によれば、ＧＳＭ通信システム及びＷＣＤＭＡ通信システムを有するデュアルモード携帯端末装置の回路規模の削減を達成することができる。
【発明を実施するための最良の形態】
【００１１】
以下、本発明の実施形態によるデュアルモード携帯端末装置について図面を参照して説明する。
【００１２】
まず、図１を参照して、本発明の基となる第１の関連技術であるＧＳＭモード携帯端末装置のＧＳＭモード送信部について説明する。ＧＳＭモード携帯端末装置とはＧＳＭ通信システムを有する携帯端末装置である。
【００１３】
［ＧＳＭモード送信部］
本ＧＳＭモード送信部は、ポーラーループ変調(Polar Loop Modulation)を用いている。本ＧＳＭモード送信部は、ＤＢＢ／ＣＰＵ部６と、ＧＳＭ  ＲＦＩＣ (Radio Frequency Integrated Circuit) ５とを有する。ＤＢＢ／ＣＰＵ部６は、デジタルベースバンド信号を出力するＤＢＢ (Digital BaseBand) 部と、制御を行うＣＰＵ (Central Processing Unit) とを有する。ＧＳＭ  ＲＦＩＣ ５はデジタルベースバンド信号を受ける。
【００１４】
本ＧＳＭモード送信部は、更に、パワーアンプモジュール（ＰＡＭ）４と、カプラー (Coupler) ３と、ＲＦフロントエンド (RF Front-end) ２と、アンテナ（ＡＮＴ）１とを有する。パワーアンプモジュール４はＲＦ信号を増幅する。カプラー３は、パワーアンプモジュール４の出力をＲＦフロントエンド２に与えると共に、パワーアンプモジュール４の出力を取り出しＧＳＭ  ＲＦＩＣ ５に与える。ＲＦフロントエンド２は、切替えスイッチやフィルタ等を有する。ＲＦフロントエンド２は、カプラー３から受けたパワーアンプモジュール４の出力ＲＦ信号をアンテナ１を介して送信する。
【００１５】
ＲＦＩＣ ５は、ＩＱデジタルアナログコンバータ（ＩＱ  ＤＡＣ）１１と、ＧＳＭ  ＩＱ変調部（ＧＳＭ  ＩＱ  ＭＯＤ）１０と、位相検波器 (Phase Detector) ７と、振幅検波器 (AM Detector) ８と、アンプ（Ａｍｐ）９とを有する。
【００１６】
ＩＱデジタルアナログコンバータ１１は、ＤＢＢ／ＣＰＵ部６からデジタルベースバンド信号として出力されるデジタルＩＱ信号をアナログ信号に変換する。ＧＳＭ  ＩＱ変調部１０は、ＩＱデジタルアナログコンバータ１１の出力信号に対してＧＳＭ通信システム用の変調を行い、変調信号を出力する。ポーラーループ部の位相検波器７は、変調信号を受けてＩＱ信号の位相成分を検波する。ポーラーループ部の振幅検波器は、変調信号を受けてＩＱ信号の振幅成分を検波する。アンプ９は、振幅検波器８の出力を増幅する。位相検波器７の出力及びアンプ９の出力はパワーアンプモジュール４に入力される。
【００１７】
ポーラーループ構成（７、８、及び４を含む）では、ベースバンド信号を振幅成分と位相成分の極座標に分割し、変調信号の位相成分のみをパワーアンプモジュール４で増幅し、その後電源電圧によって、変調信号の振幅をアンプ９で制御する。
【００１８】
ポーラループ部におけるパワーアンプモジュール４は飽和動作させているため、パワーアンプモジュール４を電力効率の高い動作点で使用することができ、かつ、温度や負荷など外部環境耐性が大きい。
【００１９】
ポーラループは振幅成分が変化するＧＳＭのＥＤＧＥ(Enhanced Data Rates for GSM Evolution)時のみに使用される。
【００２０】
ポーラーループ構成をとる為には、ＧＳＭ  ＲＦＩＣ ５内部にＩＱ信号の位相や振幅成分を検波する検波器７及び８等の回路が必要となるため、その分の回路規模は大きくなる。
【００２１】
次に、図２を参照して、本発明の基となる第２の関連技術であるＷＣＤＭＡモード携帯端末装置のＷＣＤＭＡモード送信部について説明する。ＷＣＤＭＡモード携帯端末装置とはＷＣＤＭＡ通信システムを有する携帯端末装置である。
【００２２】
［ＷＣＤＭＡモード送信部］
本ＷＣＤＭＡモード送信部は、ＡＰＣ(Automatic Power Control)フィードバックシステムを有する。本ＷＣＤＭＡモード送信部は、ＤＢＢ／ＣＰＵ部１７と、ＷＣＤＭＡ  ＲＦＩＣ １６と、送信バンドパスフィルタ（ＴＸＢＰＦ）１５とを有する。ＤＢＢ／ＣＰＵ部１７は、デジタルベースバンド信号を出力するＤＢＢ部と制御を行うＣＰＵとを有する。ＷＣＤＭＡ  ＲＦＩＣ １６はデジタルベースバンド信号を受ける。送信バンドパスフィルタ１５はＷＣＤＭＡ  ＲＦＩＣ １６からのＲＦ信号から不要な送信信号を除去する。
【００２３】
本ＷＣＤＭＡモード送信部は、更に、パワーアンプ（ＰＡ）１４と、ＡＰＣ検波回路２１と、ＲＦフロントエンド（RF Front-end）１３と、アンテナ（ＡＮＴ）１２とを有する。パワーアンプ１４は送信バンドパスフィルタ１５の出力ＲＦ信号を増幅する。ＡＰＣ検波回路２１はパワーアンプ１４の出力を取り出す。ＲＦフロントエンド１３は切替えスイッチやフィルタ等を有する。ＲＦフロントエンド１３は、パワーアンプ１４の出力ＲＦ信号をアンテナ１２を介して送信する。
【００２４】
ＷＣＤＭＡ  ＲＦＩＣ １６は、ＩＱデジタルアナログコンバータ（ＩＱ  ＤＡＣ）２０と、ＷＣＤＭＡ  ＩＱ変調部（ＷＣＤＭＡ  ＩＱ  ＭＯＤ）１９と、アンプ（Ａｍｐ）１８と、アナログデジタルコンバータ（ＡＤＣ）２２とを有する。
【００２５】
ＩＱデジタルアナログコンバータ２０は、ＤＢＢ／ＣＰＵ部１７から出力されるデジタルベースバンド信号として出力されるデジタルＩＱ信号をアナログ信号に変換する。ＷＣＤＭＡ  ＩＱ変調部１９は、ＩＱデジタルアナログコンバータ２０の出力信号に対してＷＣＤＭＡ通信システム用の変調を行い、変調されたＲＦ信号を出力する。アンプ１８は、送信ＡＧＣ(Automatic Gain Control)信号ＴＸＡＧＣに従って、変調されたＲＦ信号の送信パワーを制御する。アンプ１８の出力ＲＦ信号は、送信バンドパスフィルタ１５に入力される。アナログデジタルコンバータ２２は、ＡＰＣ検波回路２１においてパワーアンプ１４出力から検波された信号をデジタル信号に変換し、デジタル信号をＤＢＢ／ＣＰＵ部１７に戻す。
【００２６】
ＤＢＢ／ＣＰＵ部１７のＣＰＵは、このデジタル信号で表された検波信号がある一定値になるように、ＷＣＤＭＡ  ＲＦＩＣ １６内のアンプ１８を送信ＡＧＣ信号ＴＸＡＧＣによって制御してＡＰＣフィードバックを実現しており、送信電力の安定化を行っている。
【００２７】
アンプ１８を制御する送信ＡＧＣ信号（ＴＸＡＧＣ）値は、電池電圧・温度・周波数等の変化による送信特性の変化を補正する補正値であり、それぞれの状況に合わせて補正値が選択適用される。
【００２８】
補正値はＤＢＢ／ＣＰＵ部１７のＣＰＵ内のメモリＭ１に格納されており、適宜読み出される。
【００２９】
ＧＳＭ  ＲＦＩＣ ５（図１）とＷＣＤＭＡ  ＲＦＩＣ １６（図２）とのデュアル化を進める場合、ＧＳＭ通信システムのポーラーループとＷＣＤＭＡ通信システムのＡＰＣ回路とでそれぞれ別のフィードバック回路を持つため、そのまま統合してしまうと２つのフィードバック回路が存在してしまうため回路面積が大きくなってしまう。
【００３０】
次に、図３を参照して、本発明の第１の実施形態によるデュアルモード携帯端末装置のデュアルモード送信部について説明する。本デュアルモード携帯端末装置はＧＳＭ通信システムとＷＣＤＭＡ通信システムとを有する。
【００３１】
［第１の実施形態におけるデュアルモード送信部］
ＧＳＭ  ＲＦＩＣ ５（図１）とＷＣＤＭＡ  ＲＦＩＣ １６（図２）とのデュアル化を進める場合、ＧＳＭ通信システムにポーラーループ変調を用いると、ＷＣＤＭＡ通信システムのＡＰＣ回路と２種類のフィードバック回路構成が必要となってしまうため、回路規模が増大してしまう。
【００３２】
本実施形態では、ＷＣＤＭＡ通信システムのＡＰＣ回路をＧＳＭ通信システムのフィードバック回路にも適用させることで、ポーラーループの回路部分を削減し回路規模の増大を抑えるものである。
【００３３】
この構成では、図３に示すように、ＧＳＭ通信システムのパワーアンプモジュール２９（図１の４に相当する）には、リニアパワーアンプ(Linear PA)を有するパワーアンプモジュールを用いる必要がある。以下、リニアパワーアンプを有するパワーアンプモジュール２９は、リニアパワーアンプモジュール２９と称される。
【００３４】
ＧＳＭ通信システムでリニアパワーアンプモジュール２９を使用する構成は、図１のポーラーループ変調の場合のようにパワーアンプを飽和動作させていないため、温度・負荷などの環境変化による送信電力の変動に弱いという課題がある。本実施形態では、図３に示すように、ＧＳＭシステムにもＡＰＣフィードバック回路を適用し送信電力を安定化させるため、この課題も解消される。
【００３５】
図３において、本実施形態によるデュアルモード携帯端末装置のデュアルモード送信部は、ＤＢＢ／ＣＰＵ部３１と、Ｄｕａｌ  ＲＦＩＣ ３０と、送信バンドパスフィルタ１５と、パワーアンプ１４と、リニアパワーアンプモジュール２９と、ＡＰＣ検波回路２５と、ＲＦフロントエンド（RF Front-end）２４と、アンテナ（ＡＮＴ）２３とを有する。
【００３６】
ＤＢＢ／ＣＰＵ部３１は、デジタルベースバンド信号を出力するＤＢＢ (Digital BaseBand) 部と制御を行うＣＰＵ (Central Processing Unit) とを有する。Ｄｕａｌ  ＲＦＩＣ ３０はＧＳＭ通信システムとＷＣＤＭＡ通信システムとを統合するためのＲＦＩＣである。送信バンドパスフィルタ（ＷＣＤＭＡ通信システム）１５は、Ｄｕａｌ  ＲＦＩＣ ３０からのＲＦ信号（ＷＣＤＭＡ通信システム）から不要信号を除去する。パワーアンプ（ＷＣＤＭＡ通信システム）１４は送信バンドパスフィルタ１５の出力ＲＦ信号の電力増幅を行う。リニアパワーアンプモジュール（ＧＳＭ通信システム）２９はＤｕａｌ  ＲＦＩＣ ３０からのＲＦ信号（ＧＳＭ通信システム）の電力増幅を行う。ＡＰＣ検波回路２５は、パワーアンプ（ＷＣＤＭＡ通信システム）１４の出力／リニアパワーアンプモジュール（ＧＳＭ通信システム）２９の出力を検波する。ＲＦフロントエンド２４は切替えスイッチやフィルタ等を有する。
【００３７】
Ｄｕａｌ  ＲＦＩＣ ３０は、ＩＱデジタルアナログコンバータ（ＩＱ  ＤＡＣ）２０及び１１と、ＷＣＤＭＡ  ＩＱ変調部（ＷＣＤＭＡ  ＩＱ  ＭＯＤ）１９と、ＧＳＭ  ＩＱ変調部（ＧＳＭ  ＩＱ  ＭＯＤ）１０と、アンプ（Ａｍｐ）１８及び３５と、アナログデジタルコンバータ（ＡＤＣ）２２とを有する。
【００３８】
ＩＱデジタルアナログコンバータ（ＷＣＤＭＡ通信システム）２０は、ＤＢＢ／ＣＰＵ部３１からデジタルベースバンド信号として出力されるデジタルＩＱ信号をアナログ信号に変換する。ＷＣＤＭＡ  ＩＱ変調部１９は、ＩＱデジタルアナログコンバータ２０の出力信号に対してＷＣＤＭＡ通信システム用の変調を行い、変調されたＲＦ信号を出力する。アンプ（ＷＣＤＭＡ通信システム）１８は、送信ＡＧＣ(Automatic Gain Control)信号ＴＸＡＧＣに従って、変調されたＲＦ信号の送信パワーを制御する。アンプ１８の出力ＲＦ信号は、送信バンドパスフィルタ１５に入力される。
【００３９】
ＩＱデジタルアナログコンバータ（ＧＳＭ通信システム）１１は、ＤＢＢ／ＣＰＵ部３１からデジタルベースバンド信号として出力されるデジタルＩＱ信号をアナログ信号に変換する。ＧＳＭ  ＩＱ変調部１０は、ＩＱデジタルアナログコンバータ１１の出力信号に対してＧＳＭ通信システム用の変調を行い、変調信号を出力する。アンプ（ＧＳＭ通信システム）３５は、送信ＡＧＣ(Automatic Gain Control)信号ＴＸＡＧＣに従って、変調されたＲＦ信号の送信パワーを制御する。アンプ３５の出力ＲＦ信号は、リニアパワーアンプモジュール２９に入力される。
【００４０】
アナログデジタルコンバータ２２は、ＡＰＣ検波回路２５においてパワーアンプ（ＷＣＤＭＡ通信システム）１４の出力或いはリニアパワーアンプモジュール（ＧＳＭ通信システム）２９の出力から検波された信号をデジタル信号に変換し、デジタル信号をＤＢＢ／ＣＰＵ部１７に戻す。
【００４１】
上述のように、アンプ１８及び３５は、ＤＢＢ／ＣＰＵ部３１のＣＰＵからの送信ＡＧＣ信号ＴＸＡＧＣによって、ゲインを可変される。
【００４２】
なお、前記したとおり、ＧＳＭ通信システム系のパワーアンプモジュール２９は、ポーラーループで使用する飽和型のパワーアンプ（図１の４）ではなくリニアパワーアンプを用いている。
【００４３】
この構成でＡＰＣフィードバック回路システムはＷＣＤＭＡ通信システムとＧＳＭ通信システムとで共有されているが、ＷＣＤＭＡ通信システムとＧＳＭ通信システムの送信部は同時に動作することはないため、送信信号が重複することはない。
【００４４】
ＧＳＭ通信システムのＡＰＣフィードバック回路は、振幅成分が変化するＧＳＭのＥＤＧＥ(Enhanced Data Rates for GSM Evolution)時のみに使用する。
【００４５】
次に、図３のデュアルモード携帯端末装置のデュアルモード送信部の動作を説明する。
【００４６】
まず、ＷＣＤＭＡ通信システムの送信部の動作を説明する。
【００４７】
ＤＢＢ／ＣＰＵ部３１は、ＷＣＤＭＡ通信システム系の送信部を動作させるために、Ｄｕａｌ  ＲＦＩＣ ３０内のＩＱデジタルアナログコンバータ２０に、デジタルベースバンド信号を出力する。デジタルベースバンド信号はＩＱデジタルアナログコンバータ２０においてアナログ信号に変換され、アナログ信号はＷＣＤＭＡ  ＩＱ変調部１９において、変調されたＲＦ信号として出力される。出力されたＲＦ信号は、アンプ１８により増幅されてＤｕａｌ  ＲＦＩＣ ３０の外部に出力される。
【００４８】
出力されたＲＦ信号は、送信バンドパスフィルタ１５において帯域外の不要信号を除去される。送信バンドパスフィルタ１５の出力信号は、パワーアンプ１４に入力され、電力増幅される。ＲＦフロントエンド２４は、パワーアンプ１４の出力ＲＦ信号をアンテナ２３を介して送信する。
【００４９】
パワーアンプ１４出力からＡＰＣ検波回路２５において検波された信号は、Ｄｕａｌ  ＲＦＩＣ ３０内のアナログデジタルコンバータ２２によって、デジタル信号に変換され、ＤＢＢ／ＣＰＵ部３１に報告される。
【００５０】
ＤＢＢ／ＣＰＵ部３１のＣＰＵは、このデジタル信号で表された検波信号がある一定値になるように、Ｄｕａｌ  ＲＦＩＣ ３０内のアンプ１８のゲインを送信ＡＧＣ信号ＴＸＡＧＣによって制御してＡＰＣフィードバックを行っており、送信信号の安定化を実現している。
【００５１】
アンプ１８を制御する送信ＡＧＣ信号（ＴＸＡＧＣ）値は、電池電圧・温度・周波数等の変化による送信特性の変化を補正する補正値であり、それぞれの状況に合わせて補正値が選択適用される。
【００５２】
補正値はＤＢＢ／ＣＰＵ部３１のＣＰＵ内のメモリＭ１に格納されており、適宜読み出される。
【００５３】
次に、ＧＳＭ通信システムの送信部の動作を説明する。ＤＢＢ／ＣＰＵ部３１は、ＧＳＭ通信システムの送信部を動作させるために、Ｄｕａｌ  ＲＦＩＣ ３０内のＩＱデジタルアナログコンバータ１１に、デジタルベースバンド信号を出力する。デジタルベースバンド信号はＩＱデジタルアナログコンバータ１１においてアナログ信号に変換され、アナログ信号はＧＳＭ  ＩＱ変調部１０において、変調されたＲＦ信号として出力される。出力されたＲＦ信号は、アンプ３５により増幅されてＤｕａｌ  ＲＦＩＣ ３０の外部に出力される。
【００５４】
出力されたＲＦ信号は、リニアパワーアンプモジュール２９に入力され、電力増幅される。ＲＦフロントエンド２４は、リニアパワーアンプモジュール２９の出力ＲＦ信号をアンテナ２３を介して送信する。
【００５５】
リニアパワーアンプモジュール２９出力からＡＰＣ検波回路２５において検波された信号は、Ｄｕａｌ  ＲＦＩＣ ３０内のアナログデジタルコンバータ２２によって、デジタル信号に変換され、ＤＢＢ／ＣＰＵ部３１に報告される。
【００５６】
ＤＢＢ／ＣＰＵ部３１のＣＰＵは、このデジタル信号で表された検波信号がある一定値になるように、Ｄｕａｌ  ＲＦＩＣ ３０内のアンプ３５のゲインを送信ＡＧＣ信号ＴＸＡＧＣによって制御してＡＰＣフィードバックを行っており、送信信号の安定化を実現している。
【００５７】
アンプ３５を制御する送信ＡＧＣ信号（ＴＸＡＧＣ）値は、電池電圧・温度・周波数等の変化による送信特性の変化を補正する補正値であり、それぞれの状況に合わせて補正値が選択適用される。
【００５８】
ＧＳＭ通信システムにおける補正値はＤＢＢ／ＣＰＵ部３１のＣＰＵ内のメモリＭ２に、ＷＣＤＭＡ通信システムにおける補正値とは別に格納されており、適宜読み出される。
【００５９】
適用するＡＰＣ回路はＷＣＤＭＡ通信システムの回路を共用化して用いるため回路規模の増加は少なく済み、ＡＰＣフィードバック回路を用いることで、リニアパワーアンプ２９の課題である環境変化による送信電力の安定化を実現するものである。
【００６０】
本実施形態によれば、既存のＷＣＤＭＡ通信システムのＡＰＣ回路を用いるため新規回路の追加の必要がない
また、ＧＳＭ通信システムがポーラーループ変調、ＷＣＤＭＡ通信システムがＡＰＣ回路を採用しているＲＦＩＣと比較すると、回路規模の縮小が可能（ポーラループ回路部分が削減可能）である。
【００６１】
更に、リニアパワーアンプ２９を用いる構成においても、ＡＰＣフィードバック回路を適用することで、電池電圧・温度・周波数変動等の外部環境変化に対して補正を行うことが可能となり、送信電力の安定化を実現させることができる。
【００６２】
ＡＰＣ検波回路２５の温度特性など補正パラメータの項目がＷＣＤＭＡ通信システムと共通する項目があるため補正パラメータの共用化が可能である。
【００６３】
次に、図４を参照して、本発明の第２の実施形態によるデュアルモード携帯端末装置のデュアルモード送信部について説明する。
【００６４】
［第２の実施形態におけるデュアルモード送信部］
本実施形態は、図３のパワーアンプ２７及びパワーアンプモジュール２９の代りに、マルチモードパワーモジュール(Multi Mode PA Module)４０が設けられている。マルチモードパワーモジュール４０は、パワーアンプ１４の機能とパワーアンプモジュール２９の機能とを備え、パワーアンプ１４及びパワーアンプモジュール２９と同様に動作する。
【００６５】
マルチモードパワーアンプモジュール４０において出力ポートを共有すれば検波回路２５における入力ポートも共有できるため、更なる回路規模の削減が可能となる。
【００６６】
ＬＴＥ(Long Term Evolution)等の他の通信システムでＡＰＣ回路を共通化することも可能である。
【００６７】
以上、実施形態を参照して本願発明を説明したが、本願発明は上記実施形態に限定されるものではない。
【図面の簡単な説明】
【００６８】
【図１】本発明の基となるＧＳＭモード携帯端末装置の送信部のブロック図である。
【図２】本発明の基となるＷＣＤＭＡモード携帯端末装置の送信部のブロック図である。
【図３】本発明の第１の実施形態によるデュアルモード携帯端末装置の送信部のブロック図である。
【図４】本発明の第２の実施形態によるデュアルモード携帯端末装置の送信部のブロック図である。
【符号の説明】
【００６９】
１    アンテナ
２    ＲＦフロントエンド
３    カプラー
４    パワーアンプモジュール
５    ＧＳＭ  ＲＦＩＣ
６    ＤＢＢ／ＣＰＵ部
７    位相検波器
８    振幅検波器
９    アンプ
１０    ＧＳＭ  ＩＱ変調部
１１    ＩＱデジタルアナログコンバータ
１２    アンテナ
１３    ＲＦフロントエンド
１４    パワーアンプ
１５    送信バンドパスフィルタ
１６    ＷＣＤＭＡ  ＲＦＩＣ
１７    ＤＢＢ／ＣＰＵ部
１８    アンプ
１９    ＷＣＤＭＡ  ＩＱ変調部
２０    ＩＱデジタルアナログコンバータ
２１    ＡＰＣ検波回路
２２    アナログデジタルコンバータ
２３    アンテナ
２４    ＲＦフロントエンド
２５    ＡＰＣ検波回路
２９    パワーアンプモジュール（リニアパワーアンプ）
３０    Ｄｕａｌ  ＲＦＩＣ
３５    アンプ
４０    マルチモードパワーモジュール
【図１】
2010109908.tif 000003
【図２】
2010109908.tif 000004
【図３】
2010109908.tif 000005
【図４】
2010109908.tif 000006